(57)【要約】【課題】音声記録再生装置において、記録媒体の記録容量を増やさず、あるデータファイルが破損した場合でも、破損したデータファイルに記録されていたチャンネルの音声データを再生する。【解決手段】音声記録再生装置において、複数の通信回線から入力される音声データ及びインデックスデータを記録媒体に記録する記録手段と、記録媒体に記録された音声データを再生する再生手段を備え、記録手段は複数の通信回線の２回線から入力される音声データを単位データ量毎に２個のデータファイルに交互に切り替えて記録媒体に記録するとともに音声データの通信回線の識別フラグをインデックスデータとして記録媒体に記録し、再生手段は２個のデータファイルのいずれか一方のデータファイルに交互に記録された音声データを識別フラグで識別して一方の通信回線の音声データのみを再生する。【選択図】　図１
2004030703.tif 000002
【特許請求の範囲】
【請求項１】
複数の通信回線を介して入力される通話の音声を記録媒体に記録する音声記録再生装置であって、前記複数の通信回線から入力される音声データ及び前記音声データに関連するインデックスデータを記録媒体に記録する記録手段と、記録媒体に記録された音声データを再生する再生手段を備え、前記記録手段は前記複数の通信回線の２回線から入力される音声データを単位データ量毎に２個のデータファイルに交互に切り替えて記録媒体に記録するとともに音声データの通信回線を識別する識別フラグを前記２個のデータファイルのインデックスデータとして記録媒体に記録し、前記再生手段は２個のデータファイルのいずれか一方のデータファイルに交互に記録された音声データを前記識別フラグに基づいて識別して一方の通信回線の音声データのみを再生することを特徴とする音声記録再生装置。
【請求項２】
通信回線を介して入力される通話の音声を記録媒体に記録する音声記録再生装置であって、前記通信回線から入力される音声データ及び前記音声データに関連するインデックスデータを記録媒体に記録する記録手段と、記録媒体に記録された音声データを再生する再生手段を備え、前記記録手段は前記通信回線から入力される音声データを単位データ量毎に２個のデータファイルに交互に切り替えて記録媒体に記録し、前記再生手段は２個のデータファイルのいずれか一方のデータファイルに交互に記録された音声データを再生することを特徴とする音声記録再生装置。
【発明の詳細な説明】
【０００１】
【発明の属する技術分野】
本発明は、電話回線等の通信回線を介して送受信される音声データを記録媒体に記録し、記録媒体に記録された音声データを再生する音声記録再生装置に関する。
【０００２】
【従来の技術】
複数の電話回線に接続され、各電話回線から入力される通話の音声信号を符号化した音声データとしてハードディスク等の記録媒体に記録し、記録媒体に記録された音声データを読み出し再生を行う音声記録再生装置がある。
【０００３】
この音声記録再生装置は、各電話回線の通話音声を記録媒体に記録するとともに、通話の行われた回線（チャンネル）の識別データを各通話音声のデータファイルのインデックスデータとして記録し、このインデックスデータに基づいて記録されたデータファイルを検索して当該データファイルの音声データの再生を行う。
【０００４】
【発明が解決しようとする課題】
従来の音声記録再生装置では、チャンネル毎にデータファイルを作成して記録媒体に記録していたため、そのデータファイルが破損した場合、当該チャンネルの音声データを再生することができなくなる。
データファイルの破損に備えて、同じデータファイルを二重に記録する方法があるが、２倍の記録容量を有する記録媒体が必要となる。
【０００５】
本発明の目的は、記録媒体の記録容量を増やすことなく、あるデータファイルが破損した場合であっても、破損したデータファイルに記録されていたチャンネルの音声データを再生することができる音声記録再生装置を提供することにある。
【０００６】
【課題を解決するための手段】
請求項１に記載の音声記録再生装置は、複数の通信回線を介して入力される通話の音声を記録媒体に記録する音声記録再生装置であって、前記複数の通信回線から入力される音声データ及び前記音声データに関連するインデックスデータを記録媒体に記録する記録手段と、記録媒体に記録された音声データを再生する再生手段を備え、前記記録手段は前記複数の通信回線の２回線から入力される音声データを単位データ量毎に２個のデータファイルに交互に切り替えて記録媒体に記録するとともに音声データの通信回線を識別する識別フラグを前記２個のデータファイルのインデックスデータとして記録媒体に記録し、前記再生手段は２個のデータファイルのいずれか一方のデータファイルに交互に記録された音声データを識別フラグに基づいて識別して一方の通信回線の音声データのみを再生するものである。
【０００７】
請求項２に記載の音声記録再生装置は、通信回線を介して入力される通話の音声を記録媒体に記録する音声記録再生装置であって、前記通信回線から入力される音声データ及び前記音声データに関連するインデックスデータを記録媒体に記録する記録手段と、記録媒体に記録された音声データを再生する再生手段を備え、前記記録手段は前記通信回線から入力される音声データを単位データ量毎に２個のデータファイルに交互に切り替えて記録媒体に記録し、前記再生手段は２個のデータファイルのいずれか一方のデータファイルに交互に記録された音声データを再生するものである。
【０００８】
【発明の実施の形態】
図１は、本発明の一実施例の音声記録再生装置の構成を示すブロック図である。
通信回線からの音声信号は、第１チャンネル（ｃｈ．１）の入力端子Ｉｎ１、第２チャンネル（ｃｈ．２）の入力端子Ｉｎ２に、それぞれ入力される。エンコード部１ａ、１ｂは、それぞれ、入力端子Ｉｎ１、Ｉｎ２から入力された音声信号を圧縮し、圧縮された音声データとして出力する。
【０００９】
バッファメモリ２ａ、２ｂは、それぞれ、エンコード部１ａ、１ｂから出力された音声データを記憶し、エンコード部１ａ、１ｂの圧縮符号化処理の最小単位となるデータ量毎に音声データを出力する。本実施例では、この最小単位データ量を３２バイト（ｂｙｔｅ）、最小単位データ量に対応する音声時間長として３０ミリ秒（ｍｓｅｃ）としている。
【００１０】
記録再生部３は、バッファメモリ２ａ、２ｂからの音声データを、ハードディスク等の記録媒体に記録する。記録再生部３は、データ入力処理部３ａ、音声データ記録領域部３ｂ、インデックスデータ記録領域部３ｃ、データ出力処理部３ｄを備える。ここで、音声データ記録領域部３ｂ、インデックスデータ記録領域部３ｃは、ハードディスク等の記録媒体の記録領域に相当する。
【００１１】
データ入力処理部３ａは、バッファメモリ２ａ、２ｂからの音声データを、音声データ記録領域部３ｂにデータファイルＡ、データファイルＢとして記録する。ここで、データファイルＡ、データファイルＢには、音声データの最小単位データ量毎に、バッファメモリ２ａからの音声データとバッファメモリ２ｂからの音声データを交互に切り替えて記録する。
音声データ記録領域部３ｂは、音声データをデータファイルとして記録する記録媒体上の領域であって、データ入力処理部３ａからの音声データを、データファイルＡ、データファイルＢとして記録する。
【００１２】
インデックスデータ記録領域部３ｃは、データファイルを検索するための見出し情報であるインデックスデータを記録する記録媒体上の領域である。音声データ記録領域部３ｂに記録される最小単位データ量の音声データのチャンネルを識別するための識別フラグが、インデックスデータ記録領域部３ｃに記録される。
【００１３】
データ出力処理部３ｄは、データファイルＡ、データファイルＢの音声データのチャンネルを識別し、出力先を交互に切り替えて、ｃｈ．１の音声データをバッファメモリ４ａへ、ｃｈ．２の音声データをバッファメモリ４ｂへ出力する。または、データ出力処理部３ｄは、ｃｈ．２の音声データの出力を停止しｃｈ．１の音声データをバッファメモリ４ａへ出力する。または、データ出力処理部３ｄは、ｃｈ．１の音声データの出力を停止しｃｈ．２の音声データをバッファメモリ４ｂへ出力する。
【００１４】
バッファメモリ４ａ、４ｂは、それぞれ、ｃｈ．１、ｃｈ．２の音声データをデコード部５ａ、５ｂへ出力する。デコード部５ａ、５ｂは、それぞれ、音声データを伸長処理しアナログ音声信号に変換して出力端子Ｏｕｔ１、Ｏｕｔ２に出力する。制御部６は、エンコード部１ａ、１ｂ、バッファメモリ２ａ、２ｂ、記録再生部３、バッファメモリ４ａ、４ｂ、デコード部５ａ、５ｂの動作を制御する。
操作部７は、制御部６に接続され、使用者が音声データの記録又は再生の開始又は終了を操作するための操作ボタンを備える。
【００１５】
図２に、本発明の一実施例の音声記録再生装置の動作のフローチャートを示す。
操作部７の記録開始操作により動作を開始し（Ｓ１）、制御部６は、データファイルＡ、データファイルＢとして記録される音声データに付与する識別フラグの初期値を０と設定する（Ｓ２）。
【００１６】
識別フラグは０と１の値を取り、識別フラグ＝０である場合、ｃｈ．１の音声データはデータファイルＡに記録され、ｃｈ．２の音声データはデータファイルＢに記録される。識別フラグ＝１である場合、ｃｈ．１の音声データはデータファイルＢに記録され、ｃｈ．２の音声データはデータファイルＡに記録される。
【００１７】
制御部６は、ｃｈ．１のバッファメモリ２ａに記憶された音声データ量を確認し（Ｓ３）、記憶された音声データがあれば（Ｓ３でＮＯ）、バッファメモリ２ａから、最小単位データ量３２ｂｙｔｅの音声データを読み出し記録再生部３に出力させる（Ｓ４）。制御部６は、ｃｈ．２のバッファメモリ２ｂに記憶された音声データ量を確認し（Ｓ５）、記憶された音声データがあれば（Ｓ５でＮＯ）、バッファメモリ２ｂから、最小単位データ量３２ｂｙｔｅの音声データを読み出し記録再生部３に出力させる（Ｓ６）。Ｓ５で、バッファメモリ２ｂが空であれば（Ｓ５でＹＥＳ）、ｃｈ．２の音声データを無音３２ｂｙｔｅとする（Ｓ７）。
【００１８】
Ｓ３で、ｃｈ．１のバッファメモリ２ａが空であれば（Ｓ３でＹＥＳ）、制御部６は、ｃｈ．２のバッファメモリ２ｂに記憶された音声データ量を確認し（Ｓ８）、バッファメモリ２ｂに記憶された音声データがあれば（Ｓ８でＮＯ）、ｃｈ．１の音声データを無音３２ｂｙｔｅとし、バッファメモリ２ｂから最小単位データ量３２ｂｙｔｅの音声データを読み出し記録再生部３に出力させる（Ｓ９）。Ｓ８で、バッファメモリ２ｂが空であれば（Ｓ８でＹＥＳ）、記録を終了する（Ｓ１６）。
【００１９】
ここで、Ｓ６、Ｓ７、又はＳ９の処理の後、識別フラグ＝０であれば（Ｓ１０でＹＥＳ）、ｃｈ．１の最小単位データ量の音声データをデータファイルＡに、ｃｈ．２の最小単位データ量の音声データをデータファイルＢに書き込む（Ｓ１１）。Ｓ９又はＳ６でｃｈ．１又はｃｈ．２の音声データを無音とした場合には、制御部６は、記録再生部３によって無音（０値）の音声データをデータファイルＡ又はデータファイルＢに書き込む。
識別フラグ＝１に切り替えて（Ｓ１２）、記録続行であれば（Ｓ１５でＮＯ）、Ｓ３のバッファメモリの記憶データ量の確認に戻り、Ｓ３以後の処理を行う。
【００２０】
Ｓ１０で、識別フラグ＝１であれば（Ｓ１０でＮＯ）、ｃｈ．１の最小単位データ量の音声データをデータファイルＢに、ｃｈ．２の最小単位データ量の音声データをデータファイルＡに書き込む（Ｓ１３）。Ｓ９又はＳ６でｃｈ．１又はｃｈ．２の音声データを無音とした場合には、制御部６は、記録再生部３によって無音（０値）の音声データをデータファイルＢ又はデータファイルＡに書き込む。
【００２１】
識別フラグ＝０に切り替えて（Ｓ１４）、記録続行であれば（Ｓ１５でＮＯ）、Ｓ３のバッファメモリの記憶データ量の確認に戻り、Ｓ３以後の処理を行う。
操作部７による記録終了の操作があれば（Ｓ１５でＹＥＳ）、記録を終了する（Ｓ１６）。または、操作部７による電源スイッチを切る操作があれば、制御部６によって、記録を終了し、電力供給を停止する。
【００２２】
図３に、本発明の一実施例の音声記録再生装置に記録されるデータファイルの構成を示す。データファイルＡには、先頭にｃｈ．１の１番目の最小単位データ量の音声データ、２番目にｃｈ．２の２番目の最小単位データ量の音声データ、３番目にｃｈ．１の３番目の最小単位データ量の音声データという順に、ｃｈ．１とｃｈ．２の音声データが最小単位データ量毎に交互に記録される。データファイルＢには、先頭にｃｈ．２の１番目の最小単位データ量の音声データ、２番目にｃｈ．１の２番目の最小単位データ量の音声データ、３番目にｃｈ．２の３番目の最小単位データ量の音声データという順に、ｃｈ．１とｃｈ．２の音声データが最小単位データ量毎に交互に記録される。
【００２３】
本実施例の音声記録再生装置は、記録開始後、ｃｈ．１、ｃｈ．２の少なくとも一方に音声入力があれば記録を継続し、ｃｈ．１、ｃｈ．２の両方ともバッファメモリ２ａ、２ｂへの音声入力がなくなった場合、制御部６によってバッファメモリ２ａ、２ｂの両方が空であると検出され、記録を終了する。又は、記録終了の操作があった場合に記録を終了する。
記録開始後、長時間、記録が継続される場合、例えば、データファイルの記録開始後１時間経過したら、当該データファイルの記録を終了し、別のファイル名のデータファイルに切り替えて、音声データを記録する。データファイルの記録を終了するとき、その通話に関する情報をインデックスデータに記録する。
【００２４】
図４に、本発明の一実施例の音声記録再生装置に記録されるインデックスデータの構成を示す。管理番号は、各データファイルに付与される通し番号である。ファイル名は、そのデータファイルに付与される名称である。開始時間は、通話の音声データの記録開始時間を示す。識別フラグは、識別フラグの初期値０又は１が記録され、２つのデータファイルの先頭に記録された音声データのチャンネルを識別することができる。
【００２５】
ここでは、２つのデータファイルに付与された識別フラグが０であって、管理番号１８８６のデータファイルはｃｈ．１の１番目の音声データから記録を開始し、管理番号１８８７のデータファイルはｃｈ．２の１番目の音声データから記録を開始したことを示す。
もし、管理番号１８８６のデータファイルがｃｈ．２の１番目の音声データから記録を開始し、管理番号１８８７のデータファイルがｃｈ．１の１番目の音声データから記録を開始した場合には、２つのデータファイルの識別フラグは１として記録される。
【００２６】
記録再生部３に記録された音声データを再生する場合、通常は、操作部７によって選択されたチャンネルの音声データを、データ出力処理部３ｄによって、データファイルＡ、データファイルＢから交互に読み出し、連続する音声データとして出力する。
データファイルＡ、Ｂのどちらか一方が壊れて読み出すことができなくなった場合、操作部７によって再生操作があると、データファイルＡ、Ｂのうち読み出せる方のデータファイルから、操作部７によって指定されたチャンネルの音声データのみを間歇的に出力する。
【００２７】
図５に、本発明の一実施例の音声記録再生装置によって再生される音声データを示す。例えば、データファイルＢが破損して読み出せなくなった場合であって、ｃｈ．１が指定され音声データを再生する場合、データファイルＡの奇数番目の最小単位データ量の音声データが出力され、通話時間の経過に従って、ｃｈ．１−１、ｃｈ１−３、ｃｈ１−５、ｃｈ１−７の順に再生される。
【００２８】
本実施例では、音声データの最小単位データ量を３０ｍｓｅｃとし、ｃｈ．１−１、ｃｈ１−３、ｃｈ１−５、ｃｈ１−７の順に連続して再生し、再生速度は擬似的に２倍となるが、記録に残された通話音声を聴取することができる。
欠落した区間ｃｈ１−２，ｃｈ１−４，ｃｈ１−６の音声データを、当該音声データの前後の音声データを用いて補間して出力するものとして実施してもよい。
【００２９】
また、ｃｈ．２が指定され音声データを再生する場合には、データファイルＡの偶数番目の最小単位データ量の音声データが出力され、通話時間の経過に従って、ｃｈ．２−２、ｃｈ２−４、ｃｈ２−６の順に再生される。
【００３０】
このように、２チャンネルの通話を記録した２個のデータファイルＡ、Ｂのうち、１個のファイルが壊れた場合であっても、もう１個のデータファイルを使用し、単位時間毎に区切られた音声データを１つおきに読み出すことによって簡易的に再生することができ、データファイルＡ、Ｂを相互にバックアップの音声データとして使用することができる。
【００３１】
本実施例は最小単位データ量に相当する時間を３０ｍｓｅｃとして説明したが、本発明はこの実施例に限るものではなく、最小単位データ量に相当する時間を短くして実施することができる。
【００３２】
本発明は、２チャンネル以上の複数の入力チャンネルを備える構成の音声記録再生装置であっても、２チャンネルずつペアにして、それぞれ２つのデータファイルに記録する構成として、実施することができる。
【００３３】
【発明の効果】
本発明の音声記録再生装置によれば、記録媒体の記録容量を増やすことなく、あるデータファイルが破損し、当該データファイルに記録されていたチャンネルの音声データが読み出せなくなった場合であっても、当該チャンネルの音声データを再生することができる。
【図面の簡単な説明】
【図１】本発明の一実施例の音声記録再生装置の構成を示すブロック図である。
【図２】本発明の一実施例の音声記録再生装置の動作を示すフローチャートである。
【図３】本発明の一実施例の音声記録再生装置に記録されるデータファイルの構成を示す図である。
【図４】本発明の一実施例の音声記録再生装置に記録されるインデックスデータの構成を示す図である。
【図５】本発明の一実施例の音声記録再生装置によって再生される音声データを示す図である。
【符号の説明】
１ａ、１ｂ　エンコード部
２ａ、２ｂ、４ａ、４ｂ　バッファメモリ
３　記録再生部
３ａ　データ入力処理部
３ｂ　音声データ記録領域部
３ｃ　インデックスデータ記録領域部
３ｄ　データ出力処理部
５ａ、５ｂ　デコード部
Ｉｎ１、Ｉｎ２　入力端子
Ｏｕｔ１、Ｏｕｔ２　出力端子
【図１】
2004030703.tif 000003
【図２】
2004030703.tif 000004
【図３】
2004030703.tif 000005
【図４】
2004030703.tif 000006
【図５】
2004030703.tif 000007